【手続補正書】
【提出日】平成16年9月17日(2004.9.17)
【手続補正１】
【補正対象書類名】明細書
【補正対象項目名】発明の名称
【補正方法】変更
【補正の内容】
【発明の名称】遠隔オークション・システム
【手続補正２】
【補正対象書類名】明細書
【補正対象項目名】特許請求の範囲
【補正方法】変更
【補正の内容】
【特許請求の範囲】
【請求項１】
複数の商品が実際に陳列されている店舗を利用して、それらの中のある「一つの商品」について、店舗の実際の来店客とネットワーク上の遠隔の顧客とが一緒に「連続する複数の日を入札期間とするオークション」に参加できるようにした遠隔オークション・システムであって、
店舗内に陳列されている複数の商品の中の「ある一つの商品」の近傍に配置され、その表示内容が前記「一つの商品」と１対１の対応関係にある表示内容であることが来店客に分かるように表示内容を表示するための表示手段と、
前記表示手段を、前記表示手段と１対１の対応関係にある前記「一つの商品」のオークションの「連続する複数の日から成る入札期間」の間、前記「一つの商品」についてのみのオークション最高入札価格を継続して表示するように、すなわち前記「一つの商品」以外の他の商品についてのオークション最高入札価格は表示しないように、制御するための表示制御手段と、
店舗の実際の来店客から提示された前記「一つの商品」のオークション入札価格を受け付けるための第１の入札価格受付手段と、
ネットワーク上の遠隔の顧客側から送信された前記「一つの商品」のオークション入札価格を受け付けるための第２の入札価格受付手段と、
前記第１及び第２の入札価格受付手段が受け付けた入札価格データを前記「一つの商品」と関連付けて記録するための入札価格記録手段と、
「連続する複数の日から成る入札期間」の間、前記のネットワーク上の遠隔の顧客が、通信ネットワークを介して、前記「一つの商品」についての前記入札期間における最高入札価格の送信を行ったとき、前記第２の入札価格受付手段又は前記入札価格記録手段からのデータに基づいて、直ちに且つ自動的に、前記表示手段の画面中の最高入札価格の表示を前記送信された新たな最高入札価格に更新するための表示更新手段と、
店舗内に陳列されている前記「一つの商品」を含む映像を取得するための映像取得手段と、
前記映像取得手段により取得された前記「一つの商品」を含む映像を、オークションの対象を示すものとして略リアルタイムにネットワーク上の遠隔の顧客に閲覧させるために、通信ネットワークを介して、略リアルタイムにネットワーク上の遠隔の顧客側に送信するための映像送信手段と、
を含むことを特徴とする、遠隔オークション・システム。
【請求項２】
請求項１において、前記第１の入札価格受付手段及び前記第２の入札価格受付手段は、同一のハードウェアにより構成されている、ことを特徴とする、遠隔オークション・システム。
【請求項３】
請求項１において、前記映像取得手段は、前記「一つの商品」とその近傍に配置された前記表示手段の表示内容とを共に含む映像を取得するものであり、前記映像送信手段は、前記「一つの商品」とその近傍に配置された前記表示手段の表示内容とを共に含む映像をネットワーク上の遠隔の顧客側に送信するものである、ことを特徴とする、遠隔オークション・システム。
【手続補正３】
【補正対象書類名】明細書
【補正対象項目名】０００３
【補正方法】変更
【補正の内容】
【０００３】
【発明が解決しようとする課題】
従来から、前記のライブ映像をリアルタイムで見たユーザーが、そのホームページのアドレスに、ライブ映像の感想などのメッセージを電子メールで送信することや、前記ホームページに設定された「電子掲示板」（アクセスした遠隔のユーザーからの自由な書き込みを許すサービス）に各ユーザーが自分のメッセージを書き込むことなどは行われている。


【手続補正４】
【補正対象書類名】明細書
【補正対象項目名】０００４
【補正方法】変更
【補正の内容】
【０００４】
しかしながら、従来の技術では、通信ネットワークを介してある「現実の場所」にアクセスしている遠隔のユーザーとその「現実の場所」を訪問している人との利害調整又は交流を図るという発想が無いが、このような発想も大切である。


【手続補正５】
【補正対象書類名】明細書
【補正対象項目名】０００５
【補正方法】変更
【補正の内容】
【０００５】
本発明は、このような発想に基づき、遠隔のユーザーが実際に来店している顧客と同様に、互いの利害を調整しながら、美術品やアンティーク（骨董品）、古着などの「現実の世界の店舗で行われているオークション」に、実際に来店している顧客と同等の立場で、参加することができる遠隔オークション・システムを提供することを目的とする。


【手続補正６】
【補正対象書類名】明細書
【補正対象項目名】０００６
【補正方法】変更
【補正の内容】
【０００６】
本発明は、複数の商品が実際に陳列されている店舗を利用して、それらの中のある「一つの商品」について、店舗の実際の来店客とネットワーク上の遠隔の顧客とが一緒に「連続する複数の日を入札期間とするオークション」に参加できるようにした遠隔オークション・システムであって、店舗内に陳列されている複数の商品の中の「ある一つの商品」の近傍に配置され、その表示内容が前記「一つの商品」と１対１の対応関係にある表示内容であることが来店客に分かるように表示内容を表示するための表示手段と、前記表示手段を、前記表示手段と１対１の対応関係にある前記「一つの商品」の「連続する複数の日から成る入札期間」の間、前記「一つの商品」の最高入札価格を継続して表示し前記「一つの商品」以外の他の商品の最高入札価格は表示しないように制御するための表示制御手段と、店舗の実際の来店客から提示された前記「一つの商品」のオークション入札価格を受け付けるための第１の入札価格受付手段と、ネットワーク上の遠隔の顧客側から送信された前記「一つの商品」のオークション入札価格を受け付けるための第２の入札価格受付手段と、前記第１及び第２の入札価格受付手段が受け付けた入札価格データを前記「一つの商品」と関連付けて記録するための入札価格記録手段と、「連続する複数の日から成る入札期間」の間、前記のネットワーク上の遠隔の顧客が、通信ネットワークを介して、前記「一つの商品」についての前記入札期間における最高入札価格の送信を行ったとき、前記入札価格記録手段からのデータ及び前記第１及び第２の入札価格受付手段又は前記入札価格記録手段からのデータに基づいて、直ちに且つ自動的に、前記表示手段の画面中の最高入札価格の表示を前記送信された新たな最高入札価格に更新するための表示更新手段と、店舗内に陳列されている前記「一つの商品」を含む映像を取得するための映像取得手段と、前記映像取得手段により取得された前記「一つの商品」を含む映像を、オークションの対象を示すものとして略リアルタイムにネットワーク上の遠隔の顧客に閲覧させるために、通信ネットワークを介して、略リアルタイムにネットワーク上の遠隔の顧客側に送信するための映像送信手段と、を含むことを特徴とする遠隔オークション・システムである。


【手続補正７】
【補正対象書類名】明細書
【補正対象項目名】０００７
【補正方法】削除
【補正の内容】
【手続補正８】
【補正対象書類名】明細書
【補正対象項目名】０００８
【補正方法】削除
【補正の内容】
【手続補正９】
【補正対象書類名】明細書
【補正対象項目名】０００９
【補正方法】削除
【補正の内容】
【手続補正１０】
【補正対象書類名】明細書
【補正対象項目名】００１０
【補正方法】削除
【補正の内容】
【手続補正１１】
【補正対象書類名】明細書
【補正対象項目名】００１１
【補正方法】削除
【補正の内容】
【手続補正１２】
【補正対象書類名】明細書
【補正対象項目名】００１２
【補正方法】変更
【補正の内容】
【００１２】
【発明の実施の形態】
次に、本発明の一実施形態を説明する。図１は本実施形態による遠隔オークション・システムを示す概略図である。本実施形態は、従来オークションを行わなかった中小の美術商、骨董品販売業者、古着販売業者、又は中古品を販売したい個人などが、来店する人々と遠隔の多数の人々とを顧客として、オークション（ａｕｃｔｉｏｎ：競り売り。競売）を行うことを可能にするための遠隔オークション・システムである。


【手続補正１３】
【補正対象書類名】明細書
【補正対象項目名】００２３
【補正方法】変更
【補正の内容】
【００２３】
なお、本実施形態１においては、オークションは、所定の期間内に開催され、その期間内に、顧客から購入希望価格が店舗側に提示され、その最高価格を提示した顧客に、競り落とされるようになっている。そして、前記の所定の期間とは、予め決められた数日間又は数カ月間である。また、各顧客は、オークションが開催される期間の間、又は、その開催される前の準備期間の間に、オークション会場（店舗）又はそれ以外の場所に保管された商品２，３，４を、現地で実際に見たり、後述のカメラで撮像した映像により見たりして、その価値を評価することができる。


【手続補正１４】
【補正対象書類名】明細書
【補正対象項目名】００３４
【補正方法】変更
【補正の内容】
【００３４】
また、前記告知パネル１２，１３，１４のＬＣＤは、遠隔の顧客からの購入希望価格を表示するようにしているが、店舗内に陳列された商品の「商品販売に関する様々な情報」を表示させるようにしてもよい。この場合の「商品の販売に関する情報」とは、例えば、各告知パネルに対応する商品の価格、性能、材質、又は寸法などの「商品詳細データ」、オークション対象商品の売り主の最低販売予定価格などの「競売に関する情報」、その商品の現在の在庫数、その商品が現在「在庫切れ」の場合のその商品の在庫補充予定期間（例えば、「入荷１カ月後」、「在庫補充２０日後予定」など）などである。このようにした場合は、前記告知パネル１２，１３，１４に内臓する記録装置に、これらの「商品の販売に関する情報」を記録させて、遠隔の顧客からの要求があった時又は常時、その「商品の販売に関する情報」を表示せさることができる。このようにした場合は、店舗内の顧客は、各商品の近傍にある前記告知パネルを見ることにより、前記の「商品の販売に関する情報」を目視できるし、遠隔の顧客は、前記告知パネルをカメラ２１からの映像を通して見ることにより、前記情報を目視することができる。


【手続補正１５】
【補正対象書類名】明細書
【補正対象項目名】００３７
【補正方法】変更
【補正の内容】
【００３７】
【発明の効果】
以上のように、本発明によれば、遠隔のユーザーからか又は実際に来店した顧客からかのいずれから購入希望価格を受け付けたかに拘わらず、前記表示手段により、常に、最新の購入希望価格を、リアルタイムに又はほぼリアルタイムに表示できる。よって、遠隔のユーザーと実際に来店した顧客とが、全く対等の立場で、オークションに参加することができる。しかも、遠隔のユーザーと実際に来店した顧客とを含む多数の顧客からの購入希望価格の最高価格を、常に、リアルタイム又はほぼリアルタイムに、遠隔のユーザー及び実際に来店した顧客の両者が平等に知ることができるので、遠隔のユーザーと実際に来店した顧客との利害が適正に調整されるようになる（つまり、どちらかが有利でどちらかが不利になるということが無い）。


【手続補正１６】
【補正対象書類名】明細書
【補正対象項目名】００３８
【補正方法】削除
【補正の内容】
【手続補正１７】
【補正対象書類名】明細書
【補正対象項目名】００３９
【補正方法】削除
【補正の内容】